(57)【要約】【課題】携帯機器の第１筐体と第２筐体を３６０度に渡って任意の開閉角度で安定停止状態で保持できるという要望を満たしつつ、構成部品を極力省略し、構造を簡単にして製造コストの安価な２軸ヒンジを提供する。【解決手段】携帯機器の第１筐体側へ取り付けられる第１ヒンジシャフトと、第２筐体側へ取り付けられる第２ヒンジシャフトとを複数の連結部材で平行状態に連結して互いに回転可能に設け、前記第１ヒンジシャフトと前記第２ヒンジシャフトとを選択的に回転させる第１選択的回転規制手段と第２選択的回転規制手段を設け、この第１選択的回転規制手段と第２選択的回転規制手段にそれぞれ第１スライドプレートと第２スライドプレートを用いることにより解決した。【選択図】図３
2015148296.tif 000002
【特許請求の範囲】
【請求項１】
端末機器の第１筐体と第２筐体を互いに相対的に開閉させる２軸ヒンジであって、前記第１筐体側へ取り付けられる第１ヒンジシャフトと、前記第２筐体側へ取り付けられる第２ヒンジシャフトとを複数の連結部材で平行状態に連結して互いに回転可能に設け、前記第１ヒンジシャフトと前記第２ヒンジシャフトとの間に当該第１ヒンジシャフトと当該第２ヒンジシャフトを選択的に回転させる第１選択的回転規制手段と第２選択的回転規制手段を設けたものにおいて、前記第１選択的回転規制手段を前記第１ヒンジシャフトと第２ヒンジシャフトを挿通させて当該第１ヒンジシャフトと第２ヒンジシャフトの半径方向へ移動可能に設けたところの第１ロック部を有する第１スライドプレートと、前記第１ヒンジシャフトと第２ヒンジシャフトに共に回転可能となるように取り付けられ、当該第１ヒンジシャフトと第２ヒンジシャフトの回転角度によって前記第１ロック部と係合状態或は非係合状態となる第１ロックカム部材と第２ロックカム部材とで構成し、前記第２選択的回転規制手段を前記第１ヒンジシャフトと第２ヒンジシャフトの半径方向へ移動可能に設けたところの第２ロック部を有する第２スライドプレートと、前記第１ヒンジシャフトと第２ヒンジシャフトに共に回転可能となるように取り付けられ、当該第１ヒンジシャフトと第２ヒンジシャフトの回転角度によって前記第２ロック部と係合状態或は非係合状態となる第３ロックカム部材と第４ロックカム部材とで構成し、前記第１選択的回転規制手段と第２選択的回転規制手段により、前記第１ヒンジシャフトと第２ヒンジシャフトを順序だって回転することができるように成して、前記第１筐体と第２筐体をその閉成状態の０度から全開成状態の３６０度までの間で開閉できるように成したことを特徴とする、２軸ヒンジ。
【請求項２】
前記２軸ヒンジは、第１ストッパー手段と第２ストッパー手段から成るストッパー手段を有し、前記第１ストッパー手段は、第１連結部材を兼ねるストッパープレートの下方部分に設けた前記第１ヒンジシャフトを回転可能に挿通させた第１Ａ軸受孔と、この第１Ａ軸受孔の外側に設けたところの第１ストッパー片と、前記第１ヒンジシャフトの側に設けたところのその回転角度によって前記第１ストッパー片に当接する第１突起部とで構成し、前記第２ストッパー手段は、第１連結部材を兼ねるストッパープレートの上方部分に設けた前記第２ヒンジシャフトを回転可能に挿通させ第１Ｂ軸受孔と、この第１Ｂ軸受孔の外側に設けたところの第２ストッパー片と、前記第２ヒンジシャフトの側に設けたところのその回転角度によって前記第２ストッパー片に当接する第２突起部とで構成したことを特徴とする、請求項１に記載の２軸ヒンジ。
【請求項３】
前記２軸ヒンジは、第１フリクショントルク発生手段と第２フリクショントルク発生手段から成るフリクショントルク発生手段を有し、前記第１フリクショントルク発生手段を、第３連結部材の下方部分において前記第１ヒンジシャフトを回転可能に挿通させたところの第３Ａ軸受孔の一側部側の周りに設けた第１フリクション部と、この第１フリクション部と接して前記第１ヒンジシャフトに回転を規制されて設けられた第１フリクションワッシャーと、第４連結部材の下方部分において前記第１ヒンジシャフトを回転可能に挿通させたところの第４Ａ軸受孔の一側部側の周りに設けた第２フリクション部とで構成し、前記第２フリクショントルク発生手段を、前記第３連結部材の上方部分において前記第２ヒンジシャフトを回転可能に挿通させたところの第３Ｂ軸受孔の一側部側の周りに設けた第３フリクション部と、この第３フリクション部と接して前記第２ヒンジシャフトに回転を規制されて設けられた第２フリクションワッシャーと、前記第４連結部材の上方部分において前記第２ヒンジシャフトを回転可能に挿通させたところの第４Ｂ軸受孔の一側部側の周りに設けた第４フリクション部と、で構成ししたことを特徴とする、請求項１に記載の２軸ヒンジ。
【請求項４】
前記２軸ヒンジは、第１吸込み手段と第２吸込み手段から成る吸込み手段を有し、前記第１吸込み手段は、前記第１ヒンジシャフトを回転可能に挿通させて設けたところの第４連結部材の第４Ａ軸受孔の他側部側の周りに設けた第１Ａ湾曲カム凹部及び第１Ｂ湾曲カム凹部と、前記第１ヒンジシャフトに回転を規制されて取り付けられ、前記第１Ａ湾曲カム凹部及び第１Ｂ湾曲カム凹部と対向する側に第１Ａ湾曲カム凸部及び第１Ｂ湾曲カム凸部を有する第１カムフォロワーと、前記第１Ａ湾曲カム凹部及び第１Ｂ湾曲カム凹部と前記第１Ａ湾曲カム凸部及び第１Ｂ湾曲カム凸部とを圧接する第１弾性手段とで構成し、前記第２吸込み手段は、前記第２ヒンジシャフトを回転可能に挿通させて設けたところの前記第４連結部材の第４Ｂ軸受孔の他側部側の周りに設けた第２Ａ湾曲カム凹部及び第２Ｂ湾曲カム凹部と、前記２ヒンジシャフトに回転を規制されて取り付けられ、前記第２Ａ湾曲カム凹部及び第２Ｂ湾曲カム凹部と対向する側に第２Ａ湾曲カム凸部及び第２Ｂ湾曲カム凸部を有する第２カムフォロワーと、前記第２Ａ湾曲カム凹部及び第２Ｂ湾曲カム凹部と前記第２Ａ湾曲カム凸部及び第２Ｂ湾曲カム凸部とを圧接する第２弾性手段とで構成したことを特徴とする、請求項１に記載の２軸ヒンジ。
【請求項５】
前記２軸ヒンジは、前記第１連結部材を兼ねるストッパープレートから先の本体部分に被せるヒンジケースを有し、このヒンジケースはその内部に設けた取付部を前記本体部分に取付シャフトを介して着脱可能に取り付けたことを特徴とする、請求項１〜４のいずれか１項に記載の２軸ヒンジ。
【請求項６】
前記取付シャフトは、その一端部を前記本体部分のフリクショントルク発生手段の連結部材に取り付け、他端部を前記ヒンジケースの取付部に取り付けたことを特徴とする、請求項５に記載の２軸ヒンジ。
【請求項７】
前記請求項１〜６に各記載の２軸ヒンジを用いたことを特徴とする、端末機器。
【発明の詳細な説明】
【技術分野】
【０００１】
本発明は、ノートパソコンやモバイルパソコン、ＰＤＡなどの端末機器の第１筐体と第２筐体を相対的に開閉する際に用いて好適な２軸ヒンジに関する。
【背景技術】
【０００２】
キーボード部を設けた第１筐体とディスプレイ部を設けた第２筐体を有する、ノートパソコンやモバイルパソコン、ＰＤＡなどの端末機器においては、第１筐体と第２筐体を上下方向へ開閉可能に連結する１軸からなる１軸ヒンジと、第１筐体と第２筐体を上下方向へ９０度から１８０度開いた後、さらに水平方向へ第２筐体を第１筐体に対して回転できるようにするための２軸から成る２軸ヒンジとがある。本発明はこの２軸ヒンジに関する。
【０００３】
従来、このような構成の２軸ヒンジとして、下記特許文献１に記載されたものが公知である。この特許文献１に記載の２軸ヒンジは、第１の部材（第１筐体）に取り付けたシャフトと、第２の部材（第２筐体）に取り付けたシャフトを、連結アームで連結すると共に各シャフトにフリクショントルク発生手段を設け、さらにリンクアームを設けたものであるが、第１の部材と第２の部材を１８０度以上開くことができるようには構成されていず、また第１の部材と第２の部材を規則性を持って開閉できるようには構成されていない。
【先行技術文献】
【特許文献】
【０００４】
【特許文献１】特開２００９−０６３０３９号公報
【発明の概要】
【発明が解決しようとする課題】
【０００５】
近年、ノートパソコンなどの端末機器に求められるニーズは多様化し、それ合わせて端末機器の持つ機能も多様化している。そんな中で、例えばノートパソコンとして使用できる以外に同時にタブレットとして機能も有するようにするために、端末機器を構成する第１筐体と第２筐体をヒンジを介して０度の閉成状態から３６０度まで一方の筐体の開閉操作時には他方の筐体の開閉操作を規制できるように、また、開閉操作の順番を第１筐体か第２筐体のいずれか一方に規制できるように、所定の規則性を持って開閉することができるように成したヒンジが求められている。
【０００６】
そこで、本願出願人は、先の特許出願（特願２０１２−１２３０９３号）で、第１筐体と第２筐体を上下方向へ１８０度ずつ合計で３６０度開くことができるように構成した２軸ヒンジを提案した。この発明はこれはこれで有用性を持っていることに違いはないが、その後、さらに小刻みに開閉角度調節をすることができるように成したものが求められることになった。
【０００７】
本出願人は、このようなさらなる要望に応えることのできる２軸ヒンジの出願（特願２０１３−２４７５４２号）を提案した。この２軸ヒンジの構成は第１筐体側へ取り付けられる第１ヒンジシャフトと、第２筐体側へ取り付けられる第２ヒンジシャフトとを少なくとも第１連結部材と第２連結部材で平行状態に連結して互いに回転可能に設け、第１ヒンジシャフトと第２ヒンジシャフトとの間に当該第１ヒンジシャフトと当該第２ヒンジシャフトを選択的に回転させる第１選択的回転規制手段と第２選択的回転規制手段を設け、これらの第１選択的回転規制手段と第２選択的回転規制手段により、第１筐体と第２筐体を所定の順序で開閉することができるように成して、閉成状態の０度から全開成状態の３６０度までの間を開閉できるように成した構成したものである。
【０００８】
その中で、第１選択的回転規制手段は、第２連結部材とスライドガイド部材の間で、第１ヒンジシャフトと第２ヒンジシャフトの間に独立して上下方向へスライド可能に設けたところの上部と下部に第１カム凸部及び第２カム凸部を有する第１ロック部材と、この第１ロック部材を挟んで第１ヒンジシャフトと第２ヒンジシャフトをそれぞれ挿通係合させ互いにそれぞれ第１Ａカム凹部及び第１Ｂカム凹部と第２Ａカム凹部及び第２Ｂカム凹部を有する第１ロックカム部材及び第２ロックカム部材とで構成し、第２選択的回転規制手段は、前記第１ヒンジシャフト及び前記第２ヒンジシャフトにそれぞれ回転を拘束されて取り付けられた第３ロックカム部材及び第４ロックカム部材と、この第３ロックカム部材及び第４ロックカム部材の間に回転可能に設けられ、その回転角度によって前記第３ロックカム部材及び第４ロックカム部材と係合する移動ストッパーと、前記第１ヒンジシャフトと第２ヒンジシャフトに回転可能に取り付けられ前記移動ストッパーと係合させられると共に、第２Ａ弾性手段と第２Ｂ弾性手段によって前記第３ロックカム部材と前記第４ロックカム部材に圧接させられる第１ストッパーレバー及び第２ストッパーレバーとで構成したものである。
【０００９】
しかるに、構成部品が多く構造もかなり複雑となるため、製造コストが高くなるという問題が新たに生じた。ノートパソコンのような端末機器の製造メーカーが、その構成部品に求めるコストダウンの要請は非常に厳しいものがある。
【００１０】
そこで本発明の目的は、キーボード部を構成する第１筐体とディスプレイ部を構成する第２筐体とを相対的に３６０度に渡って開閉することのできる２軸ヒンジにおいて、前記第１筐体と第２筐体を任意の開閉角度で安定停止状態で保持できるという要望を満たしつつ、構成部品を極力省略し、構造を簡単にして製造コストの安価な２軸ヒンジを提供せんとするにある。
【課題を解決するための手段】
【００１１】
上記した目的を達成するために請求項１に記載の２軸ヒンジは、端末機器の第１筐体と第２筐体を互いに相対的に開閉させる２軸ヒンジであって、前記第１筐体側へ取り付けられる第１ヒンジシャフトと、前記第２筐体側へ取り付けられる第２ヒンジシャフトとを複数の連結部材で平行状態に連結して互いに回転可能に設け、前記第１ヒンジシャフトと前記第２ヒンジシャフトとの間に当該第１ヒンジシャフトと当該第２ヒンジシャフトを選択的に回転させる第１選択的回転規制手段と第２選択的回転規制手段を設けたものにおいて、前記第１選択的回転規制手段を前記第１ヒンジシャフトと第２ヒンジシャフトを挿通させて当該第１ヒンジシャフトと第２ヒンジシャフトの半径方向へ移動可能に設けたところの第１ロック部を有する第１スライドプレートと、前記第１ヒンジシャフトと第２ヒンジシャフトに共に回転可能となるように取り付けられ、当該第１ヒンジシャフトと第２ヒンジシャフトの回転角度によって前記第１ロック部と係合状態或は非係合状態となる第１ロックカム部材と第２ロックカム部材とで構成し、前記第２選択的回転規制手段を前記第１ヒンジシャフトと第２ヒンジシャフトの半径方向へ移動可能に設けたところの第２ロック部を有する第２スライドプレートと、前記第１ヒンジシャフトと第２ヒンジシャフトに共に回転可能となるように取り付けられ、当該第１ヒンジシャフトと第２ヒンジシャフトの回転角度によって前記第２ロック部と係合状態或は非係合状態となる第３ロックカム部材と第４ロックカム部材とで構成し、前記第１選択的回転規制手段と第２選択的回転規制手段により、前記第1ヒンジシャフトと第2ヒンジシャフトを順序だって回転することができるように成して、前記第１筐体と第２筐体をその閉成状態の０度から全開成状態の３６０度までの間で開閉できるように成したことを特徴とする。
【００１２】
請求項２に係る２軸ヒンジは、請求項１に記載の２軸ヒンジを、第１ストッパー手段と第２ストッパー手段から成るストッパー手段を有し、前記第１ストッパー手段は、第１連結部材を兼ねるストッパープレートの下方部分に設けた前記第１ヒンジシャフトを回転可能に挿通させた第１Ａ軸受孔と、この第１Ａ軸受孔の外側に設けたところの第１ストッパー片と、前記第１ヒンジシャフトの側に設けたところのその回転角度によって前記第１ストッパー片に当接する第１突起部とで構成し、前記第２ストッパー手段は、第１連結部材を兼ねるストッパープレートの上方部分に設けた前記第２ヒンジシャフトを回転可能に挿通させた第１Ｂ軸受孔と、この第１Ｂ軸受孔の外側に設けたところの第２ストッパー片と、前記第２ヒンジシャフトの側に設けたところのその回転角度によって前記第２ストッパー片に当接する第２突起部とで構成したことを特徴とする。
【００１３】
請求項３に記載の２軸ヒンジは、請求項１に記載の２軸ヒンジを、第１フリクショントルク発生手段と第２フリクショントルク発生手段から成るフリクショントルク発生手段を有し、前記第１フリクショントルク発生手段を、第３連結部材の下方部分において前記第１ヒンジシャフトを回転可能に挿通させたところの第３Ａ軸受孔の一側部側の周りに設けた第１フリクション部と、この第１フリクション部と接して前記第１ヒンジシャフトに回転を規制されて設けられた第１フリクションワッシャーと、第４連結部材の下方部分において前記第１ヒンジシャフトを回転可能に挿通させたところの第４Ａ軸受孔の一側部側の周りに設けた第２フリクション部とで構成し、前記第２フリクショントルク発生手段を、前記第３連結部材の上方部分において前記第２ヒンジシャフトを回転可能に挿通させたところの第３Ｂ軸受孔の一側部側の周りに設けた第３フリクション部と、この第３フリクション部と接して前記第２ヒンジシャフトに回転を規制されて設けられた第２フリクションワッシャーと、前記第４連結部材の上方部分において前記第２ヒンジシャフトを回転可能に挿通させたところの第４Ｂ軸受孔の一側部側の周りに設けた第４フリクション部と、で構成ししたことを特徴とする。
【００１４】
請求項４に記載の２軸ヒンジは、請求項１に記載の２軸ヒンジを、第１吸込み手段と第２吸込み手段から成る吸込み手段を有するものとし、前記第１吸込み手段を、前記第１ヒンジシャフトを回転可能に挿通させて設けたところの第４連結部材の第４Ａ軸受孔の他側部側の周りに設けた第１Ａ湾曲カム凹部及び第１Ｂ湾曲カム凹部と、前記第１ヒンジシャフトに回転を規制されて取り付けられ、前記第１Ａ湾曲カム凹部及び第１Ｂ湾曲カム凹部と対向する側に第１Ａ湾曲カム凸部及び第１Ｂ湾曲カム凸部を有する第１カムフォロワーと、前記第１Ａ湾曲カム凹部及び第１Ｂ湾曲カム凹部と前記第１Ａ湾曲カム凸部及び第１Ｂ湾曲カム凸部とを圧接する第１弾性手段とで構成し、前記第２吸込み手段を、前記第２ヒンジシャフトを回転可能に挿通させて設けたところの前記第４連結部材の第４Ａ軸受孔の他側部側の周りに設けた第２Ａ湾曲カム凹部及び第２Ｂ湾曲カム凹部と、前記２ヒンジシャフトに回転を規制されて取り付けられ、前記第２Ａ湾曲カム凹部及び第２Ｂ湾曲カム凹部と対向する側に第２Ａ湾曲カム凸部及び第２Ｂ湾曲カム凸部を有する第２カムフォロワーと、前記第２Ａ湾曲カム凹部及び第２Ｂ湾曲カム凹部と前記第２Ａ湾曲カム凸部及び第２Ｂ湾曲カム凸部とを圧接する第２弾性手段とで構成ししたことを特徴とする。
【００１５】
次に、請求項５に記載の２軸ヒンジは、請求項１に記載の前記第１連結部材を兼ねるストッパープレートから先の本体部分に被せるヒンジケースを有し、このヒンジケースはその内部に設けた取付部を前記本体部分に取付シャフトを介して着脱可能に取り付けたことを特徴とする。
【００１６】
次に、請求項６に記載の２軸ヒンジは、請求項５に記載の取付シャフトの一端部を前記本体部分のフリクショントルク発生手段の連結部材に取り付け、他端部を前記ヒンジケースの取付部に取り付けたことを特徴とする。
【００１７】
そして、請求項７に係る端末機器は、上記に各記載の２軸ヒンジを用いたことを特徴とするものである。
【発明の効果】
【００１８】
本発明は以上のように構成したので、請求項１発明によれば、構成部品を従来のものよりは省略した簡単な構成で、第１選択的回転規制手段と第２選択的回転規制手段によって、第１ヒンジシャフトと第２ヒンジシャフトを所定の順序で回転させることにより、第１筐体と第２筐体を０度から３６０度の範囲に渡って所定の順序で規則的に開閉させることができるものである。
【００１９】
次に、請求項２発明によれば、構成部品を従来のものよりは省略した簡単な構成で、第１選択的回転規制手段と第２選択的回転規制手段によって、第１ヒンジシャフトと第２ヒンジシャフトを所定の順序で回転させることにより、第１筐体と第２筐体を０度から３６０度の範囲にわたって所定の順序で規則的に選択開閉させることができた上で、第１ヒンジシャフトと第２ヒンジシャフトの回転角度をストッパー手段によって規制することにより、第１筐体と第２筐体を所定の開閉角度において、安定的に停止保持させることができるものである。
【００２０】
また、請求項３発明によれば、構成部品を従来のものよりは省略した簡単な構成で、第１選択的回転規制手段と第２選択的回転規制手段によって、第１ヒンジシャフトと第２ヒンジシャフトを所定の順序で回転させることにより、第１筐体と第２筐体を０度から３６０度の範囲にわたって所定の順序で規則的に開閉させることができた上で、フリクショントルク発生手段によって、回転トルクが創出され、開閉時の操作感覚をしっくりとしたものにし、さらに任意の開閉角度において、第１筐体と第２筐体を停止保持させることができるものである。
【００２１】
また、請求項４発明によれば、構成部品を従来のものよりは省略した簡単な構成で、第１選択的回転規制手段と第２選択的回転規制手段によって、第１ヒンジシャフトと第２ヒンジシャフトを所定の順序で回転させることにより、第１筐体と第２筐体を０度から３６０度の範囲にわたって所定の順序で規則的に開閉させることができた上で、吸込み手段によって、所定の開閉角度において第１筐体と第２筐体を自動的に開閉方向へ回転付勢させて、停止させるクリック操作感覚を操作者に与えることができる。さらに、第１筐体と第２筐体の間に両者を閉成状態で保持するラッチ手段を設けない場合には、第１筐体と第２筐体がその閉成状態において、自然に開いてしまうのを防止する機能を営むことができるものである。
【００２２】
また、請求項５発明によれば、２軸ヒンジの本体部分をヒンジケースで外部から見えないようになることから、２軸ヒンジの外観がすっきりとしたものになるという効果を奏し得る。
【００２３】
また、請求項６発明によれば、２軸ヒンジの本体部分をヒンジケースで外部から見えないようになることから、２軸ヒンジの外観がすっきりとしたものになるという効果を奏した上で、弾性手段の弾力が、フリクショントルク発生手段と吸込み手段に作用し、第１選択的回転規制手段と第２選択的回転規制手段に作用しなくなるので、開閉操作がスムーズになるという作用効果を奏し得る。
【００２４】
そして、請求項７のように構成すると、第１筐体と第２筐体を所定の順序で規則性を持って所定角度ずつ合計で最大３６０度開閉できる端末機器を提供できるものである。
【図面の簡単な説明】
【００２５】
【図１】本発明に係る２軸ヒンジを取り付けた、例えば端末機器の１例であるノートパソコンを示し、(ａ)は第２筐体を第１筐体に対して開いた状態を前方から見た斜視図であり、（ｂ)は第１筐体と第２筐体を閉じた状態を後方から見た斜視図である。
【図２】本発明に係る２軸ヒンジの本体部分からヒンジケースを外して見た斜視図である。
【図３】本発明に係る２軸ヒンジの分解斜視図である。
【図４】本発明に係る２軸ヒンジの第１ヒンジシャフトを示し、（a）はその正面図、（b）はその平面図、（ｃ）は（ａ）の左側面図である。
【図５】本発明に係る２軸ヒンジの第２ヒンジシャフトを示し、（a）はその正面図、（b）はその平面図、（ｃ）は（ａ）の左側面図である。
【図６】本発明に係る２軸ヒンジのストッパー手段の第１連結部材を兼ねるストッパープレートの斜視図である。
【図７】本発明に係る２軸ヒンジの第１スライドプレートと第２スライドプレートを示し、（ａ）それぞれの側面図、（ｂ）はそれぞれの斜視図である。
【図８】本発明に係る２軸ヒンジの第１ロックカム部材の側面図である。
【図９】本発明に係る２軸ヒンジの第２ロックカム部材の側面図である。
【図１０】本発明に係る２軸ヒンジの第３ロックカム部材の側面図である。
【図１１】本発明に係る２軸ヒンジの第４ロックカム部材の側面図である。
【図１２】本発明に係る２軸ヒンジの第１及び第２フリクションワッシャーを示し、（ａ）はその右側面図、（ｂ）はその左側面図である。
【図１３】本発明に係る２軸ヒンジの第３連結部材を示し、(ａ)はその左側面図、(ｂ)はその右側面図である。
【図１４】本発明に係る２軸ヒンジの第４連結部材を示し、(ａ)はその右側面図、(ｂ)その左側面図である。
【図１５】本発明に係る２軸ヒンジの第１カムフォロワーと第２カムフォロワーを示し、（ａ）はその右側面図、（ｂ）はその正面図である。
【図１６】本発明に係る２軸ヒンジのヒンジケースを示し、（ａ）はその右側面図、（ｂ）は（ａ）のＡ−Ａ線断面図である。
【図１７】図に示したヒンジケースの取付シャフトを示し、（ａ）はその正面図、（ｂ）はそのＢ-Ｂ線断面図である。
【図１８】本発明に係る２軸ヒンジのストッパー手段の説明図であり、(ａ)は第１筐体と第２筐体の閉成時の状態を示し、(ｂ)は第１筐体と第２筐体をそれぞれ１８０度開いた状態を示している。
【図１９】本発明に係る２軸ヒンジの動作開始前の状態、つまり第２筐体の第１筐体に対する閉成状態の角度０度の状態を説明するためのもので、（ａ）は第１選択的回転規制手段の状態を示し、（ｂ）は第２選択的回転規制手段の状態を示す。
【図２０】本発明に係る２軸ヒンジの動作中の状態、つまり第２筐体の第１筐体に対する閉成状態の角度０度から９０度に至るまでの動作途中の状態を説明するためのもので、（ａ）は第１選択的回転規制手段の状態を示し、（ｂ）は第２選択的回転規制手段の状態を示す。
【図２１】本発明に係る２軸ヒンジの動作中の状態、つまり第２筐体の第１筐体に対する開成角度９０度の状態を説明するためのもので、（ａ）は第１選択的回転規制手段の状態を示し、（ｂ）は第２選択的回転規制手段の状態を示す。
【図２２】本発明に係る２軸ヒンジの動作中の状態、つまり第２筐体の第１筐体に対する開成角度９０度から１８０度に至るまでの動作途中の状態を説明するためのもので、（ａ）は第１選択的回転規制手段の状態を示し、（ｂ）は第２選択的回転規制手段の状態を示している。
【図２３】本発明に係る２軸ヒンジの動作中の状態、つまり第２筐体の第１筐体に対する開成角度１８０度の状態を説明するためのもので、図２１のものを９０度反時計方向へ回転させて表示した。その中で（ａ）は第１選択的回転規制手段の状態を示し、（ｂ）は第２選択的回転規制手段の状態を示す。
【図２４】本発明に係る２軸ヒンジの動作中の状態、つまり第２筐体の第１筐体に対する開成角度１８０度から２７０度に至るまでの動作途中の状態を説明するためのもので、（ａ）は第１選択的回転規制手段の状態を示し、（ｂ）は第２選択的回転規制手段の状態を示している。
【図２５】本発明に係る２軸ヒンジの動作中の状態、つまり第２筐体の第１筐体に対する開成角度２７０度の状態を説明するためのもので、（ａ）は第１選択的回転規制手段の状態を示し、（ｂ）は第２選択的回転規制手段の状態を示している。
【図２６】本発明に係る２軸ヒンジの動作中の状態、つまり第２筐体の第１筐体に対する開成角度２７０度から３６０度に至るまでの動作途中の状態を説明するためのもので、（ａ）は第１選択的回転規制手段の状態を示し、（ｂ）は第２選択的回転規制手段の状態を示している。
【図２７】本発明に係る２軸ヒンジの動作中の状態、つまり第２筐体の第１筐体に対する開成角度３６０度の状態を説明するためのもので、図２４のものを９０度回転させて表示した。その中で（ａ）は第１選択的回転規制手段の状態を示し、（ｂ）は第２選択的回転規制手段の状態を示している。
【発明を実施するための形態】
【００２６】
以下に本発明に係る２軸ヒンジを端末機器の１例であるノートパソコンに用いた場合の実施例について図面に基づいて説明するが、本発明に係る２軸ヒンジを用いるものはノートパソコンに限定されず、互いに上下方向へ１８０度以上の範囲で開閉可能に連結される第１筐体と第２筐体を有するモバイルパソコン、ＰＤＡ等の端末機器、その他のものにも用いることができるものである。
【実施例１】
【００２７】
図１（ａ）、（ｂ）は、本発明に係る２軸ヒンジを用いた端末機器の１例としてのノートパソコン１を示す。このノートパソコン１は、キーボード部２ａを設けた第１筐体２と、ディスプレイ部３ａを設けた第２筐体３の各後部の左右個所を、本発明に係る一対の２軸ヒンジ４と５で開閉可能に連結されている。
【００２８】
２軸ヒンジ４と５の構成は、両者共に同じ構成であるので、以下その一方の指示記号４のもののみを説明し、他方の指示記号５で示したものの説明は省略する。勿論、動作に支障がない場合には、指示記号５で示した２軸ヒンジの構成を別なものとしても良い。
【００２９】
図２〜図１７は、本発明に係る２軸ヒンジ４の一実施例を示す。とくに図２〜図４において、指示記号１０と１２で示したものは、第１ヒンジシャフトと第２ヒンジシャフトである。このうち第１ヒンジシャフト１０からその構成を説明すると、とくに図３と図４に示したように、その一端部側から断面扁平形状を呈し、その表面に取付孔１０ｂ、１０ｂを設けた取付板部１０ａと、この取付板部１０ａに続いて設けられたフランジ部と１０ｃと、このフランジ部１０ｃに続いて設けられた円形軸部１０ｄと、この円形軸部１０ｄに続いて設けられた当該円形軸部１０ｄよりやや小径の断面略楕円形状を呈した第１変形軸部１０ｅと、この第１変形軸部１０ｅに続いて設けられたところの当該第１変形軸部１０ｅよりもやや小径の同じく断面略楕円形状を呈して成る第２変形軸部１０ｆと、この第２変形軸部１０ｆに続いて設けられた雄ネジ部１０ｇと、前記円形軸部１０ｄの外周に設けられた第１突起部１０ｈとから構成されている。
【００３０】
取付板部１０ａには、第１取付プレート１１が取り付けられており、この第１取付プレート１１の取付板部１０ａへの取付方法は、第１ヒンジシャフト１０の取付孔１０ｂ、１０ｂと第１取付プレート１１の取付孔１１ａ、１１ａを通したフランジ部付の取付ピン１０ｉ、１０ｉの各端部をかしめることによってなされている。そして、第１取付プレート１１は、当該第１取付プレート１１に設けた取付孔１１ｂ、１１ｂ・・を介して、図示してない取付ネジを用いて第１筐体２の上面側へ取り付けられる構成である。尚、取付ピン１０ｉ、１０ｉはこれを取付ネジとしてもよい。
【００３１】
次に、指示記号１２で示したものは、第１ヒンジシャフト１０に対して上下方向へ平行に配置される第２ヒンジシャフトであり、この第２ヒンジシャフト１２は、とくに図３と図５に示したように、その一端部側から断面扁平形状を呈し、その表面に取付孔１２ｂ、１２ｂを設けた取付板部１２ａと、この取付板部１２ａに続いて設けられたフランジ部１２ｃと、このフランジ部１２ｃに続いて設けられた円形軸部１２ｄと、この円形軸部１２ｄに続いて設けられた当該円形軸部１２ｄよりやや小径の断面略楕円形状を呈した第１変形軸部１２ｅと、この第１変形軸部１２ｅに続いて設けられたところの当該第１変形軸部１２ｅよりもやや小径の同じく断面略楕円形状を呈して成る第２変形軸部１２ｆと、この第２変形軸部１２ｆに続いて設けられた雄ネジ部１２ｇと、前記円形軸部１２ｄの外周に設けられた第２突起部１２ｈとから構成されている。
【００３２】
取付板部１２ａには、第２取付プレート１３が取り付けられており、この第２取付プレート１３の取付板部１２ａへの取付方法は、第２ヒンジシャフト１２の取付孔１２ｂ、１２ｂと第２取付プレート１３の取付孔１３ａ、１３ａ、１３ａを通したフランジ部付の取付ピン１２ｉ、１２ｉ、１２ｉの各端部をかしめることによってなされている。そして、第２取付プレート１３は、当該第２取付プレート１３に設けた取付孔１３ｂ、１３ｂ・・を介して、図示してない取付ネジを用いて第１筐体２の下面側へ取り付けられる構成である。尚、取付ピン１２ｉ、１２ｉはこれを取付ネジとしてもよい。
【００３３】
次に、第１ヒンジシャフト１０と第２ヒンジシャフト１２の回転角度を規制するストッパー手段９について説明する。このストッパー手段９は、図３と図４及び図１８に示したように、第１ストッパー手段９ａと第２ストッパー手段９ｂとから成る、このうち第１ストッパー手段９ａは、第１ヒンジシャフト１０の円形軸部１０ｄを回転可能に軸受させた第１Ａ軸受孔１４ａを有するところの第１連結部材を兼ねるストッパープレート１４の前記第１A軸受孔１４aと、この第１Ａ軸受孔１４ａの外側に位置して設けた円弧状を呈した第１ストッパー片１４ｃと、各第１ヒンジシャフト１０の円形軸部１０ｄの外周に設けた第１突起部１０ｈとから成り、第１ヒンジシャフト１０の回転角度を１８０度に規制するものである。第２ストッパー手段９ｂは、第２ヒンジシャフト１２の円形軸部１２ｄを回転可能に軸受させた第１Ｂ軸受孔１４ｂを有する第１連結部材を兼ねるストッパープレート１４の前記第１Ｂ軸受孔１４ｂと、この第１Ｂ軸受孔１４ｂの各外側に位置して設けた円弧状を呈した第２ストッパー片１４ｄと、第２ヒンジシャフト１２の円形軸部１２ｄの外周に設けた第２突起部１２ｈとから成り、第２ヒンジシャフト１２の回転角度を１８０度に規制するものである。
【００３４】
このストッパー手段９に隣接して、とくに図３に示したように、第１選択的回転規制手段１６が設けられている。この第１選択的回転規制手段１６は、第１ヒンジシャフト１０と第２ヒンジシャフト１２の各第１変形軸部１０ｅ、１２ｅを回転可能に挿通させた第２Ａ軸受孔１５ａと第２Ｂ軸受孔１５ｂを有し、第１連結部材（ストッパープレート）１４に接して設けられた第２連結部材１５と、一側面側の上下位置に第１凸部１７ａと第２凸部１７ｂを設けた第１ロック部１７ｃを有し、この第１ロック部１７ｃを挟んで上下位置に楕円形状の第１ガイド孔１７ｄと第２ガイド孔１７ｅが設けた第１スライドプレート１７と、第１ヒンジシャフト１０と第２ヒンジシャフト１２の各第１変形軸部１０ｅ、１２ｅを回転可能に挿通させつつ、第１ガイド孔１７ｄと第２ガイド孔１７ｅ内にスライド可能に収容された第１スペーサーリング１８ａ及び第２スペーサーリング１８ｂと、第１スライドプレート１７の第１ロック部１７ｃを挟んで上下位置に配置され、その各軸心部軸方向に設けた第１変形挿通孔１９ａと第２変形挿通孔２０ａへ第１ヒンジシャフト１０と第２ヒンジシャフト１２の各第１変形軸部１０ｅ、１２ｅを挿通係合させて成る、外周に幅の広い第１湾曲凹部１９ｂと幅の狭い第２凹部２０ｂとを設けた、第１ロックカム部材１９及び第２ロックカム部材２０とで構成されている。尚、各スペーサーリング１８ａ、１８ｂは、第１スライドプレート１７の厚さより若干軸方向の幅を厚く構成し、第２連結部材１５と第１ロックカム部材１９及び第２ロックカム部材２０の間に挟まれてスライドする第１スライドプレート１７のフリクション抵抗を緩和するように構成することが望ましい。或は、第１ヒンジシャフト１０と第２ヒンジシャフト１２に設けた各第１変形軸部１０ｅ、１２ｅと第２変形軸部１０ｆ、１２ｆとの間の段差部分で第３連結部材２７を受け止めるように構成ことにより、弾性手段３４の弾力が第１選択的回転性規制手段１６と第２選択的回転規制手段２１に作用しないようにすることも可能である。
【００３５】
この第１選択的回転規制手段１６に隣接して、とくに図３に示したように、第２選択的回転規制手段２１が設けられている。この第２選択的回転規制手段２１は、一側面側に上下位置に第３凸部２２ａと第４凸部２２ｂを設けた第２ロック部２２ｃを有し、この第２ロック部２２ｃを挟んで上下位置に楕円形状の第３ガイド孔２２ｄと第４ガイド孔２２ｅを設けた第２スライドプレート２２と、第１ヒンジシャフト１０と第２ヒンジシャフト１２の各第１変形軸部１０ｅ、１２ｅを回転可能に挿通させつつ、第３ガイド孔２２ｄと第４ガイド孔２２ｅ内にスライド可能に収容された第３スペーサーリング２３ａ及び第４スペーサーリング２３ｂと、第２スライドプレート２２の第２ロック部２２ｃを挟んで上下位置に配置され、その各軸心部軸方向に設けた第３変形挿通孔２４ａと第４変形挿通孔２５ａへ第１ヒンジシャフト１０と第２ヒンジシャフト１２の第１変形軸部１０ｅと第２変形軸部１２ｆを挿通係合させて成る、外周に幅の広い第２湾曲凹部２４ｂと幅の狭い第２凹部２５ｂとを設けた、第３ロックカム部材２４及び第４ロックカム部材２５と、その上下位置の軸方向に第１ヒンジシャフト１０の第２変形軸部１０ｆを回転可能に挿通軸受させる第３Ａ軸受孔２７ａと第３Ｂ軸受孔２７ｂを有する第３連結部材２７とで構成されている。尚、各スペーサーリング２３ａ、２３ｂは、第２スライドプレート２２の厚さより若干軸方向の幅を厚く構成し、第３連結部材２７と第３ロックカム部材２４及び第４ロックカム部材２５の間に挟まれてスライドする第２スライドプレート２２のフリクション抵抗を緩和するように構成することが望ましい。或は、上述したように、第１ヒンジシャフト１０と第２ヒンジシャフト１２に設けた各第１変形軸部１０ｅ、１２ｅと第２変形軸部１０ｆ、１２ｆとの間の段差部分で第３連結部材２７を受け止めるように構成することにより、弾性手段３４の弾力が第１選択的回転性規制手段１６と第２選択的回転規制手段２１に作用しないようにすることも可能である。
【００３６】
この第２選択的回転規制手段２１に隣接して、とくに図３に示したように、フリクショントルク発生手段２６が設けられている。このフリクショントルク発生手段２６は、第１ヒンジシャフト１０側の第１フリクショントルク発生手段２６ａと、第２ヒンジシャフト１２側の第２フリクショントルク発生手段２６ｂとで構成されている、このうち、第１フリクショントルク発生手段２６ａは、第３連結部材２７に設けた第１ヒンジシャフト１０の第２変形軸部１０ｆを回転可能に挿通軸受させる第３Ａ軸受孔２７ａの周りの第１フリクション部２７ｄと、第３Ａ軸受孔２７ａに対応させて設けたその軸心部軸方向に第５変形挿通孔２８ａへ第１ヒンジシャフト１０の第２変形軸部１０ｆを挿通係合させて成るところの両面にナナコメ加工を施した第１フリクションワッシャー２８と、この第１フリクションワッシャー２８に隣接してその下方位置に設けた第４Ａ軸受孔３０ａに第１ヒンジシャフト１０の第２変形軸部１０ｆを挿通させて設けた第４連結部材３０の第３フリクション部３０ｈと、第１ヒンジシャフト１０の第２変形軸部１０ｆをその挿通孔３５ａに挿通させると共に、第１ヒンジシャフト１０に設けた雄ネジ部１０ｇに取り付けた第１締付ナット３９で第１押え用ワッシャー３７を介して圧接される複数の第１皿バネ３５から成る第１弾性手段３４ａとで構成されている。
【００３７】
第２フリクショントルク発生手段２６ｂは、第３連結部材２７に設けた第２ヒンジシャフト１２の第２変形軸部１２ｆを回転可能に挿通軸受させる第３Ｂ軸受孔２７ｂの周りの第２フリクション部２７ｅと、第３Ｂ軸受孔２７ｂに対応させて設けたその軸心部軸方向に第６変形挿通孔２９ａへ第２ヒンジシャフト１２の第２変形軸部１２ｆを挿通係合させて成るところの両面にナナコメ加工を施した第２フリクションワッシャー２９と、この第２フリクションワッシャー２９に隣接してその上下位置に設けた第４Ｂ軸受孔３０ｂに第２ヒンジシャフト１２の第２変形軸部１２ｆを挿通させて設けた第４連結部材３０の第４フリクション部３０ｉと、第２ヒンジシャフト１２の第２変形軸部１２ｆをその挿通孔３６ａに挿通させると共に、第２ヒンジシャフト１２に設けた雄ネジ部１２ｇに取り付けた第２締付ナット４０で第２押え用ワッシャー３８を介して圧接される複数の第２皿バネ３６から成る第２弾性手段３４ｂとで構成されている。
【００３８】
とくに図３に示したように、このフリクショントルク発生手段２６に隣接して吸込み手段３１が設けられている。この吸込み手段３１は、下側の第１ヒンジシャフト１０側の第１吸込み手段３１ａと、上側の第２ヒンジシャフト１２側の第２吸込み手段３１ｂとから成る。まず、第１吸込み手段３１ａは、第４連結部材３０の第４Ａ軸受孔３０ａの周囲に外側と内側に設けた大小の第１Ａ湾曲カム凹部３０ｃ及び第１Ｂ湾曲カム凹部３０ｄと、その第７変形挿通孔３２ａへ第１ヒンジシャフト１０の第２変形軸部１０ｆを挿通係合させると共に、その側面の外側と内側に設けた大小の第１Ａ湾曲カム凸部３２ｂ及び第１Ｂ湾曲カム凸部３２ｃを、第１Ａ湾曲カム凹部３０ｃ及び第１Ｂ湾曲カム凹部３０ｄと対向させて設けた第１カムフォロワー３２と、この第１カムフォロワー３２に接してその中心部軸方向に設けた各挿通孔３５ａへ第１ヒンジシャフト１０の各第２変形軸部１０ｆを挿通させて設けた複数の第１皿バネ３５とから成る第１弾性手段３４ａと、この第１弾性手段３４ａに接してその中心部軸方向に設けた変形挿通孔３７ａに第１ヒンジシャフト１０の第２変形軸部１０ｆを挿通係合させて設けた第１押え用ワッシャー３７と、第１ヒンジシャフト１０の第２変形軸部１０ｆの自由端部側に設けた雄ネジ部１０ｇに捻子着させた第１締付ナット３９とで構成されている。
【００３９】
第２吸込み手段３１ｂは、第４連結部材３０の第４Ｂ軸受孔３０ｂの周囲に外側と内側に設けた大小の第２Ａ湾曲カム凹部３０ｅ及び第２Ｂ湾曲カム凹部３０ｆと、その第８変形挿通孔３３ａを第２ヒンジシャフト１２の第２変形軸部１２ｆを挿通係合させると共に、その側面の外側と内側に設けた大小の第２Ａ湾曲カム凸部３３ｂ及び第２Ｂ湾曲カム凸部３３ｃを、第２Ａ湾曲カム凹部３０ｅ及び第２Ｂ湾曲カム凹部３０ｆと対向させて設けた第２カムフォロワー３３と、この第２カムフォロワー３３に接してその中心部軸方向に設けた各挿通孔３６ａへ第２ヒンジシャフト１２の各第２変形軸部１２ｆを挿通させて設けた複数の第２皿バネ３６から成る第２弾性手段３４ｂと、この第２弾性手段３４ｂに接してその中心部軸方向に設けた挿通孔３８ａに第２ヒンジシャフト１２の第２変形軸部１２ｆを挿通係合させて設けた第２押え用ワッシャー３８と、第２ヒンジシャフト１２の第２変形軸部１２ｆの自由端部側に設けた雄ネジ部１２ｇに捻子着させた第２締付ナット４０とで構成されている。
【００４０】
即ち、ヒンジケース６の中には第１ヒンジシャフト１０と第２ヒンジシャフト１２に取り付けた第１連結部材を兼ねるストッパープレート１４から先の本体部分４ａが収容される。図に示したものは、ヒンジケース６を２軸ヒンジ４へ取り付ける取付シャフト７である。この取付シャフト７は、一端部７ａと他端部７ｂを有し、中央部には大径部７ｃが設けられている。
【００４１】
さらに、ヒンジケース６は、とくに図２と図３及び図に示したように、断面長孔形状を示した筒状のものであり、その内部にその中央部を横切って取付孔６ａを設けた取付部６ｂが設けられている。この取付部６ｂの上下部には２軸ヒンジ４の第１ヒンジシャフト１０側の第１フリクショントルク発生手段２６ａと、第１吸込み手段３１ａを挿通させる第１挿通孔６ｃと、第２ヒンジシャフト１２側の第２フリクショントルク発生手段２６ｂと、第２吸込み手段３１ｂを挿通させる第２挿通孔６ｄが設けられており、取付部６ｂを挟んで、一方にストッパー手段９、第１選択的回転規制手段１６、第２選択的回転規制手段２１が収容され、他方にフリクショントルク発生手段２６、及び吸込み手段３１が収容される構成である。
【００４２】
尚、取付シャフト７は、実施例のものは、その一端部７ａ側を第３連結部材２７に設けた取付孔２７ｃに挿入させると共に、大径部７ｃを第４連結部材３０に設けた挿通孔３０ｇに挿通させ、さらに他端部７ｂ側をヒンジケース６の取付部６ｂに設けた取付孔６ａへ挿入後露出端をかしめて取り付ける構成となっている。
【００４３】
そして、ヒンジケース６は、とくに図２に示したように、第１筐体２と第２筐体３に設けた収容凹部２ｂと３ｂ内に収容されている。また、もう一方の２軸ヒンジ５のヒンジケース８も同じ構成である。
【００４４】
次に、上記した本発明に係る２軸ヒンジ４の動作について以下に説明する。まず、本発明に係る２軸ヒンジ４は、端末機器の１例であるノートパソコン１を構成する第１筐体２と第２筐体３を相対的に開閉させる２軸ヒンジである。その特徴は、第１筐体２側へ第１取付プレート１１を介して取り付けられる第１ヒンジシャフト１０と、第２筐体３側へ第２取付プレート１３を介して取り付けられる第２ヒンジシャフト１２とを、それぞれ第１連結部材を兼ねるストッパープレート１４と第２連結部材１５と第３連結部材２７、及び第４連結部材３０で平行状態に連結して互いに回転可能に設けたものである。第１筐体２と第２筐体３を相対的に開閉させると、第１選択的回転規制手段１６と第２選択的回転規制手段２１が所定の順序で動作し、第１筐体２と第２筐体３を合計でそれぞれ１８０度ずつ回転できるように構成し、相対的に０度から３６０度の範囲に渡って開閉できるようにした点にある。しかしながら、その開閉順序は、下記実施例のものに限定されない。また、本実施例に係る２軸ヒンジ４は、図１９〜図２７に示したように、第１筐体２と第２筐体３の閉成状態から、第１筐体２は第１ヒンジシャフト１０を支点に時計方向へ、第２筐体３は第２ヒンジシャフトを支点に反時計方向へそれぞれ回転することにより、開閉操作がなされる。尚、図１９〜図２７は、本発明に係る動作を解り易く説明するための説明図である。したがって、各(ａ)と(ｂ)が正しい断面図となっているわけではない。
【００４５】
即ち、まず、ノートパソコン１などの第１筐体２と第２筐体３の閉成状態の開閉角度０度の時から開く場合について説明すると、図１９の(ａ)と（ｂ）に示したように、第１筐体２と第２筐体３の閉成状態のときには、第１ヒンジシャフト１０に取り付けた第１選択的回転規制手段１６の第１ロックカム部材１９は、その外周を第１スライドプレート１７の第１ロック部１７ｃの第１凸部１７ａに接しており、第２選択的回転規制手段２１の第２スライドプレート２２の第２ロック部２２ｃに設けた第３凸部２２ａは、第３ロックカム部材２４の第２湾曲凹部２４ｂに落ち込んでいる。他方、第２ヒンジシャフト１２に取り付けた第１選択的回転規制手段１６の第２ロックカム部材２０の第２凹部２０ｂへ第１スライドプレート１７の第１ロック部１７ｃの第２凸部１７ｂが落ち込んでいることから、第２選択的回転規制手段２１の第４ロックカム部材２５の外周に第２スライドプレート２２の第２ロック部２２ｃの第４凸部２２ｂが当接していても、第２ヒンジシャフト１２の反時計方向の回転は規制されている。したがって、第１ヒンジシャフト１０の時計方向の回転のみが許容され、第１筐体２が第２筐体３に対して時計方向に回転して開かれ、９０度まで開かれた途中でまた反時計方向に回転して元位置の閉成状態に戻すことができる。この０度から第１筐体２が第２筐体３に対して時計方向に回転して開かれて行く状態は、図２０の（ａ）と（ｂ）に示してある。
【００４６】
次に、第１筐体２が第２筐体３に対して時計方向に回転して９０度まで開かれると、図２１の（ａ）に示したように、第１選択的回転規制手段１６の第１ロックカム部材１９と第２ロックカム部材２０は、第１スライドプレート１７が上下方向へスライド可能であるので、第１ヒンジシャフト１０と第２ヒンジシャフト１２のいずれのものも回転を規制していないが、(ｂ)に示したように、第２選択的回転規制手段２１の第２スライドプレート２２の第２ロック部２２ｃの第３凸部２２ａは第３ロックカム部材２４の第２湾曲凹部２４ｂに落ち込んでおり、第４ロックカム部材２５の外周に第４凸部２２ｂが当接しているので、今度は、第１ヒンジシャフト１０の時計方向の回転が規制され、第２ヒンジシャフト１２が第２筐体３を開成方向の反時計方向へ回転させる回転は許容されていることから、第２筐体３が反時計方向へ回転して第１筐体２に対して開かれることになる。この９０度から第２筐体３が第１筐体２に対して反時計方向に回転して開かれて行く状態は、図２２の（ａ）と（ｂ）に示してある。
【００４７】
次に、第２筐体３が第１筐体２に対して９０度反時計方向へ回転して合計で１８０度まで開かれた状態は図２３の（ａ）と（ｂ）に示してある。図面によれば、この開成状態において、第１筐体２と第２筐体３は互いに段差のない平らな展開状態となる。そして、第１選択的回転規制手段１６は、（ａ）に示したように、第１選択的回転規制手段１６の第１スライドプレート１７に設けた第１ロック部１７ｃの第１凸部１７ａは、第１ロックカム部材１９の第１湾曲凹部１９ｂ内に落ち込んでおり、第２凸部１７ｂは第２ロックカム部材２０の外周に当接している。他方、（ｂ）に示したように、第２選択的回転規制手段２１の第２スライドプレート２２の第２ロック部２２ｃの第３凸部２２ａは、第３ロックカム部材２４の第２湾曲凹部２４ｂに落ち込んでおり、第４凸部２２ｂは、第４ロックカム部材２５の外周に接している。したがって、第１ヒンジシャフト１０は、時計方向と反時計方向のどちらにも回転を規制されているが、第２ヒンジシャフト１２は、時計方向と反時計方向のどちらにも回転を許容されているので、第２筐体３を第１筐体２に対して反時計方向へ回転させてさらに開くことができる。また、第２筐体３は同時に時計方向へ回転させて閉じ方向へ回転させることもできる。第２筐体３を第１筐体２に対して１８０度からさらに開かれてゆく状態は、図２４の（ａ）と（ｂ）に示してある。
【００４８】
次に、第２筐体３が反時計方向へ回転して第１筐体２に対して２７０度まで開かれた状態は、図２５（ａ）と（ｂ）に示してある。この状態において、（ａ）に示したように、第１選択的回転規制手段１６の第１ヒンジシャフト１０に取り付けた第１ロックカム部材１９の第１湾曲凹部１９ｂは、第１スライドプレート１７の第１ロック部１７ｃの第１凸部１７ａに落ち込んで係合しており、第２ヒンジシャフト１２に取り付けた第２ロックカム部材２０の外周は第２凸部１７ｂに当接しているので、第１ヒンジシャフト１０の時計方向の回転と、第２ヒンジシャフト１２の時計方向と反時計方向の回転が許容されている。他方、（ｂ）に示したように、第２選択的回転規制手段２１の第１ヒンジシャフト１０に取り付けた第３ロックカム部材２４の第２湾曲凹部２４ｂには第２スライドプレート２２の第３凸部２２ａが落ち込んで係合しており、第２ヒンジシャフト１２に取り付けた第４ロックカム部材２５の第２凹部２５ｂと第４凸部２２ｂとの間には間隙がある。したがって、この２７０度の開成状態においては、第１ヒンジシャフト１０は時計方向に回転が可能である。また、第２ヒンジシャフト１２の方は時計方向と反時計方向のいずれの方向へも回転が可能であるが、ストッパー手段９の第２ストッパー手段９ｂの第２ヒンジシャフト１２に設けた第２突起部１２ｈが、ストッパープレート（第１連結部材）１４の第２ストッパー片１４ｄに当接していることから、第２ヒンジシャフト１２のさらなる反時計方向の回転を規制するので、第２筐体３は時計方向の閉成方向へは回転可能であるが反時計方向の開成方向へは回転を規制されることになる。したがって、第１ヒンジシャフト１０のみが時計方向へ回転が可能であることから、今度は第１ヒンジシャフト１０が時計方向に回転して第１筐体２を第２筐体３に対して、開成方向へさらに開くことが可能となる。この第１筐体２がさらに第２筐体３に対して２７０度から開かれて行く状態は、図２６の（ａ）と（ｂ）に示してある。
【００４９】
次に、第１筐体２が時計方向へ回転して第２筐体３に対して３６０度まで開かれた状態は、図２７（ａ）と（ｂ）に示してある。また、この状態に至る少し手前で、吸込み手段３１の第１吸込み手段３１ａの第１カムフォロワー３２に設けた第１Ａ湾曲カム凸部３２ｂと第１Ｂ湾曲カム凸部３２ｃが、第１Ａ湾曲カム凹部３０ｃと第１Ｂ湾曲カム凹部３０ｄ内に落ち込むことから、第１筐体２は第２筐体３に対して自動的に３６０度まで開かれることになる。この第１吸込み手段３１ａの動作は、第１筐体２が９０度から０度まで閉じられる時に動作するように構成してもよい。また、その両者でもよい。そして、この吸込み手段３１によって、第１筐体２と第２筐体３の閉成状態において、両筺体２、３の間にラッチ手段を設けなくとも、自然に第１筐体２第２筐体３が開いてしまうことなく閉成状態を保持できるものである。また、この自然開成を防止するという意味においては、吸込み手段３１は、実施例のものは、第１筐体２と第２筐体３が開閉操作時において、０度から９０度及び２７０度から３６０度の間の開閉操作時には、第１ヒンジシャフト１０のみが回転するので、吸込み手段を第１ヒンジシャフト１０側に設けるのみでもよい。
【００５０】
さらに、この状態、つまり第１筐体２が第２筐体３に対して３６０度まで開かれた状態において、第１筐体２と第２筐体３は、図２７の（ａ）と（ｂ）に示したように、その閉成状態の時とは逆の方向において互いに重なり合うことになる。この状態においては、図１８の（ｂ）に示したように、第１ヒンジシャフト１０は、ストッパー手段９の第１連結部材（ストッパープレート）１４の第１ストッパー片１４ｃが第１突起部１０ｈに当接しているので、第１ヒンジシャフト１０の時計方向のそれ以上の回転は規制されている。
【００５１】
また、この状態において、図２７の（ａ）に示したように、第１選択的回転規制手段１６の第１ヒンジシャフト１０に取り付けた第１ロックカム部材１９の第１湾曲凹部１９ｂは、第１スライドプレート１７の第１ロック部１７ｃの第１凸部１７ａに落ち込んで係合しており、第２ヒンジシャフト１２に取り付けた第２ロックカム部材２０の外周は第２凸部１７ｂに当接している。そして図２７の（ｂ）に示したように、第２選択的回転規制手段２１の第１ヒンジシャフト１０に取り付けた第３ロックカム部材２４の外周には第２スライドプレート２２の第３凸部２２ａが当接しており、第２ヒンジシャフト１２に取り付けた第４ロックカム部材２５の第２凹部２５ｂに第４凸部２２ｂが落ち込んでいるので、第１ヒンジシャフト１０の反時計方向への回転許容で第１筐体２の閉成方向のみの回転が可能となる。
【００５２】
以上説明したように、第１筐体２と第２筐体３の互いに重なり合う０度の閉成状態からの開成操作は、まず、第１筐体２が第２筐体３に対して時計方向へ９０度まで開かれ、次に第２筐体３が第１筐体２に対して２７０度となるまで反時計方向に回転して開かれ、２７０度からは第１筐体２が第２筐体３に対して時計方向へ回転して開かれ、合計で３６０度開かれることにより、第１筐体２と第２筐体３は合計で３６０度開かれることになる。
【００５３】
次に、第１筐体２と第２筐体３が開かれて互いに重なり合った３６０度の状態から、第１筐体２が第２筐体３に対して反時計方向へ回転して閉じられ，９０度回転すると、図２５の（ａ）に示したように、第１選択的回転規制手段１６によって、第１ヒンジシャフト１０の反時計方向の回転は規制され、ストッパー手段９と第２選択的回転規制手段２１によって、第２ヒンジシャフ１２トの時計方向の回転は許容されることから、第２筐体３が第１筐体２に対して時計方向へ回転して閉じることが可能となる。
【００５４】
この第２筐体３が時計方向へ９０度回転して合計で１８０度となった状態は図２３の（ａ）と（ｂ）に示してある。この状態において（ａ）に示したように、第１ヒンジシャフト１０の反時計方向の回転は、第１選択的回転規制手段１６によって規制されているが、（ａ）と（ｂ）に示したように、第１選択的回転規制手段１６と第２選択的回転規制手段２１によって、第２ヒンジシャフト１２のさらなる時計方向の回転は許容されているので、第２筐体３はさらに第１筐体２に対して時計方向へ回転させて閉じることが可能となる。
【００５５】
第２筐体３が第１筐体２に対してさらに９０度閉じられた状態は、図２１（ａ）と（ｂ）に示してある。この図２１によれば、第２ヒンジシャフト１２はさらに時計方向へ回転が可能に見えるが、ストッパー手段９によってさらに時計方向へ回転して閉じることは規制される。他方、第１ヒンジシャフト１０は第１選択的回転規制手段１６によって、反時計方向の回転が許容されるので、第１筐体２が第２筐体３に対して反時計方向へ回転させて閉じることが可能となり、第１筐体２は図１９（ａ）と（ｂ）に示したように第２筐体３に対して重なり合い、閉成操作が完了して、第１筐体２と第２筐体３は元位置に戻ることになる。
【００５６】
以上、詳細に説明したように、第１筐体２と第２筐体３の開閉操作が、所定の順序で行なわれることになる。
【００５７】
以上の第１筐体２と第２筐体３の相対的開閉操作中において、フリクショントルク発生手段２６の第１フリクショントルク発生手段２６ａと第２フリクショントルク発生手段２６ｂは、第１ヒンジシャフト１０と第２ヒンジシャフト１２の交互の回転動作時にそれぞれ動作し、第１フリクションワッシャー２８及び第２フリクションワッシャー２９と、第３連結部材２７の第１フリクション部２７ｄ及び第２フリクション部２７eと第４連結部材３０の第３フリクション部３０ｈ及び第４フリクション部３０iとの間にフリクショントルクを発生させ、第１筐体２と第２筐体３の開閉動作時の任意の角度における安定停止作用を行うことができるものである。
【００５８】
また、ストッパー手段９は、上述し、また図１８の（ａ）と（ｂ）に示したように、その第１ストッパー手段９ａにおいては、第１ヒンジシャフト１０が合計で１８０度回転したときに、第１突起部１０ｈが第１連結部材を兼ねるストッパープレート１４に設けた第１ストッパー片１４ｃに当接することによって、それ以上の回転を規制する。また、第２ストッパー手段９ｂにおいては、第２ヒンジシャフト１２が合計で１８０度回転したときに、第２突起部１２ｈが第１連結部材（ストッパープレート）１４に設けた第２ストッパー片１４ｄに当接することによって、それ以上の回転を規制する。
【００５９】
さらに、吸込み手段３１は、その第２吸込み手段３１ｂが、第２筐体３の９０度から２７０度まで開かれるときに動作し、２７０度の開閉角度の少し手前から、第２カムフォロワー３３の第２Ａ湾曲カム凸部３３ｂ及び第２Ｂ湾曲カム凸部３３ｃが第４連結部材３０の第２Ａ湾曲カム凹部３０ｅ及び第２Ｂ湾曲カム凹部３０ｆに落ち込むことにより、吸込み機能を発揮し、第２筐体３を第１筐体２に対して自動的に開成方向へ回転付勢させるものである。この第２吸込み手段３１ｂの吸込み機能は、第２筐体３が第１筐体２に対し２７０度から９０度まで閉じられる際にも機能する。
【００６０】
また、吸込み手段３１の第１吸込み手段３１ａは、第１筐体２が２７０度から３６０度まで開かれるときに動作し、３６０度の少し前から、第１カムフォロワー３２の第１Ａ湾曲カム凸部３２ｂ及び第１Ｂ湾曲カム凸部３２ｃが第４連結部材３０の第１Ａ湾曲カム凹部３０ｃ及び第１Ｂ湾曲カム凹部３０ｄへ落ち込むことにより、吸込み機能を発揮し、第１筐体２を第２筐体３に対して自動的に開成方向へ回転付勢させるものである。この第１吸込み手段３１ａの吸込み機能は、第１筐体２が第２筐体３に対し９０度から０度まで閉じられる際にも機能する。
【００６１】
よって、以上の説明から明らかなように、本願発明に係る２軸ヒンジ４は、第１筐体２と第２筐体３をそれぞれ第１ヒンジシャフト１０と第２ヒンジシャフト１２を介して所定の順序で１８０度ずつ回転させて合計で３６０度の開閉操作を可能としたものであるが、その開閉順序にとくに限定はない。
【００６２】
そして、ノートパソコン１をそれ本来の用い方で用いることができた上で、第１筐体２を第２筐体３に対して２軸ヒンジ４を介して同一方向に折り曲げて、略Ｌ時形状にしたり、山形状にしたり、重ね合わせて平板状としたりして、第２筐体３を操作者側に向けてタブレットとして種々多様な用い方をすることができるものである。
【００６３】
尚、その他の実施例としては、弾性手段３４に用いている第１及び第２皿バネ３５と３６は、これをスプリングワッシャー、圧縮コイルスプリング、弾性を備えたゴムを始めとする合成樹脂製のものなどに代えることが可能である。また、ヒンジケース６や８は、これがなくともとくに２軸ヒンジ４、５の機能に支障は生じないが、このヒンジケース６や８があると、２軸ヒンジ４や５をノートパソコン１へ取り付けた際に、ストッパー手段９や第１及び第２選択的回転規制手段１６及び２１や、フリクショントルク発生手段２６、吸込み手段３１等が外部へ露出することがないので、外観上すっきりとしたものになるという利点がある。
【産業上の利用可能性】
【００６４】
本発明は以上のように構成したので、とくにノートパソコンのような端末機器やその他のもので、第１筐体と第２筐体を所定の順序に従って所定の順序で開き、相対的に３６０度の範囲で開閉させる場合の２軸ヒンジとして好適に用いられるものであるが、とくにノートパソコンを同時にタブレットとしても用いるものに用いて好適である。
【符号の説明】
【００６５】
１    ノートパソコン
２    第１筐体
３    第２筐体
４    ２軸ヒンジ
４ａ  本体部分
５    ２軸ヒンジ
６  ヒンジケース
６ｂ  取付部
７  取付シャフト
７ａ  一端部
７ｂ  他端部
８  ヒンジケース
９  ストッパー手段
９ａ  第１ストッパー手段
９ｂ  第２ストッパー手段
１０  第１ヒンジシャフト
１０ｈ  第１突起部
１２  第２ヒンジシャフト
１２ｈ  第２突起部
１４  第１連結部材（ストッパープレート）
１４ａ  第１Ａ軸受孔
１４ｂ  第１Ｂ軸受孔
１４ｃ  第１ストッパー片
１４ｄ  第２ストッパー片
１５  第２連結部材
１５ａ  第２Ａ軸受孔
１５ｂ  第２Ｂ軸受孔
１６  第１選択的回転規制手段
１７  第１スライドプレート
１７ｃ  第１ロック部
１９  第１ロックカム部材
２０  第２ロックカム部材
２１  第２選択的回転規制手段
２２  第２スライドプレート
２２ｃ  第２ロック部
２４  第３ロックカム部材
２５  第４ロックカム部材
２６  フリクショントルク発生手段
２６ａ  第１フリクショントルク発生手段
２６ｂ  第２フリクショントルク発生手段
２７  第３連結部材
２７ａ  第３Ａ軸受孔
２７ｂ  第３Ｂ軸受孔
２７ｄ  第１フリクション部
２７ｅ  第２フリクション部
２８  第１フリクションワッシャー
２９  第２フリクションワッシャー
３０  第４連結部材
３０ａ  第４Ａ軸受孔
３０ｂ  第４Ｂ軸受孔
３０ｃ  第１Ａ湾曲カム凹部
３０ｄ  第１Ｂ湾曲カム凹部
３０ｅ  第２Ａ湾曲カム凹部
３０ｆ  第２Ｂ湾曲カム凹部
３０ｈ  第３フリクション部
３０ｉ  第４フリクション部
３１  吸込み手段
３１ａ  第１吸込み手段
３１ｂ  第２吸込み手段
３２  第１カムフォロワー
３２ｂ  第１Ａ湾曲カム凸部
３２ｃ  第１Ｂ湾曲カム凸部
３３  第２カムフォロワー
３３ｂ  第２Ａ湾曲カム凸部
３３ｃ  第２Ｂ湾曲カム凸部
３４  弾性手段
３４ａ  第１弾性手段
３４ｂ  第２弾性手段
【図１】
2015148296.tif 000003
【図２】
2015148296.tif 000004
【図３】
2015148296.tif 000005
【図４】
2015148296.tif 000006
【図５】
2015148296.tif 000007
【図６】
2015148296.tif 000008
【図７】
2015148296.tif 000009
【図８】
2015148296.tif 000010
【図９】
2015148296.tif 000011
【図１０】
2015148296.tif 000012
【図１１】
2015148296.tif 000013
【図１２】
2015148296.tif 000014
【図１３】
2015148296.tif 000015
【図１４】
2015148296.tif 000016
【図１５】
2015148296.tif 000017
【図１６】
2015148296.tif 000018
【図１７】
2015148296.tif 000019
【図１８】
2015148296.tif 000020
【図１９】
2015148296.tif 000021
【図２０】
2015148296.tif 000022
【図２１】
2015148296.tif 000023
【図２２】
2015148296.tif 000024
【図２３】
2015148296.tif 000025
【図２４】
2015148296.tif 000026
【図２５】
2015148296.tif 000027
【図２６】
2015148296.tif 000028
【図２７】
2015148296.tif 000029